(57)【特許請求の範囲】
【請求項１】
可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記揮散部材を覆って前記容器体に装着される蓋体を備え、該揮散部材は該蓋体に保持され、
前記蓋体は、前記容器体に対して揺動可能に取り付けられる揮散剤容器。
【請求項２】
可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記ホルダーは、前記パイプを取り囲むとともにその上端が前記上部開口よりも前記揮散部材寄りに位置する周壁を有する揮散剤容器。
【請求項３】
可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記パイプは、前記上部開口が前記揮散部材の下面に対して対向するものであり、該揮散部材の下面は、前記口部の中心軸線に向かって下向きに傾斜する揮散剤容器。
【発明の詳細な説明】
【技術分野】
【０００１】
本発明は、芳香剤や消臭剤等の内容物を揮散させる揮散剤容器に関するものである。
【背景技術】
【０００２】
芳香剤や消臭剤等の内容物を揮散させる容器として、例えば特許文献１には、内容物を収容する容器体と、内容物を吸い上げる吸い上げ芯を保持して容器体の口部に取り付けられるホルダーと、吸い上げ芯で吸い上げた内容物を含浸して揮散させる揮散部材と、揮散部材を内側に納めて容器体に対して上下動可能に保持される蓋体とを備えるものが示されている。
【先行技術文献】
【特許文献】
【０００３】
【特許文献１】特開２０１１−６２２７２号公報
【発明の概要】
【発明が解決しようとする課題】
【０００４】
このような容器は、基本的に室内に据え置いて使用され、比較的長期に亘って内容物を揮散させることが可能であって、内容物の揮散量を変更したい場合は、蓋体を上下に移動させることによって調整することができる。しかし、揮散部材には吸い上げ芯を通して比較的ゆっくりと内容物を含浸させているため、蓋体を持ち上げても、揮散量を急に増やすことはできなかった。このため、すぐに揮散効果を高めたい場合にも対応することができる、使い勝手の良い揮散剤容器が求められていた。
【０００５】
本発明は、このような問題点を解決することを課題とするものであり、従来のように比較的長期に亘って内容物を揮散させることができるうえ、すぐに揮散効果を高めたい時にも対応することができる揮散剤容器を提供することを目的とする。
【課題を解決するための手段】
【０００６】
本発明は、可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記揮散部材を覆って前記容器体に装着される蓋体を備え、該揮散部材は該蓋体に保持され、
前記蓋体は、前記容器体に対して揺動可能に取り付けられる揮散剤容器である。
【０００９】
また本発明は、可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記ホルダーは、前記パイプを取り囲むとともにその上端が前記上部開口よりも前記揮散部材寄りに位置する周壁を有するものでもある。
【００１０】
また本発明は、可撓性を有し、上部を開口させた口部を備える容器体と、該容器体の内容物を吸い上げる吸い上げ芯を保持するとともに該口部に取り付けられるホルダーと、該吸い上げ芯で吸い上げた内容物を含浸して揮散させる揮散部材とを備え、
前記ホルダーは、前記容器体の底部に向けて延在するとともに上部開口が前記揮散部材に対向するパイプを保持し、
前記パイプは、前記上部開口が前記揮散部材の下面に対して対向するものであり、該揮散部材の下面は、前記口部の中心軸線に向かって下向きに傾斜するものでもある。
【発明の効果】
【００１１】
本発明の揮散剤容器は、容器体と、容器体の内容物を吸い上げる吸い上げ芯を保持するホルダーと、吸い上げ芯で吸い上げた内容物を含浸して揮散させる揮散部材とを備えるものである。また、容器体は可撓性を有するものであって、ホルダーは、容器体の底部に向けて延在するとともに上部開口が揮散部材に対向するパイプを保持するものである。すなわち、普段は吸い上げ芯によって吸い上げた内容物を揮散部材から揮散させることができる一方、容器体をスクイズすれば、パイプを通して内容物を揮散部材に噴出させて揮散量をすぐに増やすことができるので、揮散効果を直ちに高めることができる。
【００１２】
本揮散剤容器において、揮散部材を覆って容器体に装着される蓋体を備え、揮散部材を蓋体で保持する場合は、蓋体を外して容器体をスクイズすることによって、内容物を直接空気中に噴出させることができるので、高い揮散効果を更に早く発揮させることができる。
【００１３】
蓋体を、容器体に対して揺動可能に取り付ける場合は、パイプからの内容物の噴出先を、揮散部材或いは空気中のどちらかに簡単に切り替えることができるので、使い勝手が良くなる。
【００１４】
ホルダーに、パイプを取り囲むとともにその上端が上部開口よりも揮散部材寄りに位置する周壁を設ける場合は、容器体を過剰にスクイズした場合でも、周壁によって内容物の溢れを抑えることができる。
【００１５】
パイプの上部開口を揮散部材の下面に対して対向させ、揮散部材の下面を口部の中心軸線に向かって下向きに傾斜させる場合は、容器体を過剰にスクイズして揮散部材の下面に内容物が多く付着することがあっても、これを口部の中心に集めることができる。これにより、揮散部材の下面を伝って口部の外側に内容物が溢れる不具合が有効に防止される。
【図面の簡単な説明】
【００１６】
【図１】本発明に従う揮散剤容器の一実施形態を示す、（ａ）は平面図であり、（ｂ）は側面視での断面図である。
【図２】図１に示す揮散剤容器に対し、容器本体をスクイズしてパイプから内容物を噴出させた状態を示す断面図である。
【図３】図１に示す揮散剤容器の変形例を示す図であって、（ａ）は第一変形例であり、（ｂ）は第二変形例である。
【図４】図１に示す揮散剤容器に対し、蓋体を開くとともに、容器本体をスクイズしてパイプから内容物を噴出させた状態を示す断面図である。
【発明を実施するための形態】
【００１７】
以下、図面を参照して、本発明に従う揮散剤容器の一実施形態について説明する。なお、本明細書、特許請求の範囲、及び要約書において、「上」、「下」の関係は、図１（ｂ）に示すように揮散剤容器を正立姿勢にした状態（容器本体が下側、蓋体が上側に位置する状態）での位置関係をいう。
【００１８】
本実施形態の揮散剤容器は、容器体Ａ、ホルダー２、吸い上げ芯３、パイプ４、揮散部材５、蓋体６を備えている。また容器体Ａは、容器本体１とカバー７とで構成されている。
【００１９】
容器本体１は、板状の底部１ａの縁部に筒状の胴部１ｂを連結させるとともに、その上部には肩部１ｃを介して筒状の口部１ｄを備えている。容器本体１の内側には、芳香剤や消臭剤等の揮発性を有する内容物を収容することができる。また口部１ｄの外周面には、径方向外側に向けて延在するネックリング１ｅと、ネックリング１ｅの上方に位置する雄ねじ部１ｆが設けられている。ここで雄ねじ部１ｆは、図示を省略するキャップを保持するものであって、キャップを取り付けることによって、未使用時における内容物の外部への揮発を防止している。本実施形態の容器本体１は比較的薄肉の合成樹脂製であって、可撓性を有するものである。
【００２０】
ホルダー２は、口部１ｄに沿って延在する周壁２ａと、周壁２ａの上端から径方向外側に向けて広がるフランジ２ｂとを備えていて、口部１ｄに保持されている。周壁２ａの内側には、板状の隔壁２ｃが設けられていて、周壁２ａと隔壁２ｃとの連結部には、補強壁２ｄが設けられている。また隔壁２ｃは、その中央部に設けられ、口部１ｄの中心軸線Ｏに沿って延在するとともに底部１ａに向かって長く延在する大筒状壁２ｅと、大筒状壁２ｅに隣接して設けられ、隔壁２ｃから上方に向けて延在し、且つ大筒状壁２ｅよりも長さが短い小筒状壁２ｆとを備えている。
【００２１】
吸い上げ芯３は、例えばフェルト材やパルプ材、合成樹脂製の多孔質体、繊維束体で棒状に形成されていて、毛細管現象によって容器本体１の内容物を吸い上げることが可能である。吸い上げ芯３は大筒状壁２ｅに保持されていて、図示は省略するが、その下端は底部１ａの近傍に達している。
【００２２】
パイプ４は、管状になるものであって、上部開口４ａが露呈した状態で小筒状壁２ｆに保持されている。また図示は省略するが、パイプ４の下部開口は底部１ａの近傍に達している。
【００２３】
揮散部材５は、濾紙の他、吸い上げ芯３と同様のフェルト材等で形成されており、その下面が、吸い上げ芯３に当接するように配置される。ここで上部開口４ａは、揮散部材５の下面に対向しており、両者の間には隙間が設けられている。揮散部材５は、平面視での大きさが吸い上げ芯３よりも十分に大きくなるように形成されており、これによって揮散効果を高めている。
【００２４】
蓋体６は、揮散部材５を取り囲む有蓋筒状の本体部６ａを備えている。本体部６ａには、揮散部材５から揮散する内容物を外部に放出させる開口６ｂが設けられている。また本体部６ａの内側には、揮散部材５を保持する爪部６ｃが設けられている。また本体部６ａの一端部には軸部６ｄが設けられ、他端部には外側に向けて突出する指掛け部６ｅが設けられている。
【００２５】
カバー７は、口部１ｄを取り囲んでネックリング１ｅに保持される環状壁７ａを備えている。環状壁７ａの上端には天壁７ｂが連結しており、天壁７ｂの外縁には、肩部１ｃを覆い隠す外周壁７ｃが設けられている。また天壁７ｂと外周壁７ｃとの連結部分には、軸部６ｄに対応する軸穴７ｄが設けられていて、蓋体６はカバー７に対して揺動可能に取り付けられている。なお、蓋体６に軸穴を設け、カバー７に軸部を設けてもよい。また、蓋体６とカバー７とを一体に連結するヒンジを設けて蓋体６を揺動させるようにしてもよい。
【００２６】
このような構成になる揮散剤容器は、通常使用する際は容器本体１の内容物が吸い上げ芯３によって吸い上げられ、吸い上げられた内容物は、揮散部材５に含浸して揮散され、開口６ｂを通して外部に放出される。
【００２７】
そして揮散効果を高めたい場合には、容器本体１の胴部１ｂをスクイズする。これによって容器本体１の内容物は、図２に示すようにパイプ４の上部開口４ａから揮散部材５に向けて噴出するため、揮散部材５からの揮散量をすぐに増やすことができる。
【００２８】
なお、胴部１ｂのスクイズ量は、容器本体１の厚みや素材を適切に選択することによって適度な状態に調整することができるものの、過剰にスクイズされることが想定される場合には、例えば図３（ａ）のような構成にすることが望ましい。図３（ａ）に示す例では、周壁２ａの上端が、パイプ４の上部開口４ａよりも揮散部材５寄りに位置する（周壁２ａの上端が上部開口４ａよりも高い位置にある）ようにしている。これにより、上部開口４ａは周壁２ａで取り囲まれ、更に周壁２ａと揮散部材５との隙間も小さくなるので、過剰にスクイズした場合でもホルダー２からの内容物の溢れを抑えることができる。
【００２９】
また、図３（ｂ）のような構成にすることでも、内容物の溢れを抑えることができる。図３（ｂ）に示す例では、揮散部材５の中央部を膨出させている。すなわち、揮散部材５の下面は口部１ｄの中心軸線Ｏに向かって下向きに傾斜しているので、過剰にスクイズして揮散部材５の下面に内容物が多く付着することがあっても、これを口部１ｄの中心に集めることができる。これにより、揮散部材５の下面を伝って口部１ｄの外側に内容物が溢れる不具合を有効に防止することができる。
【００３０】
図１に示す揮散剤容器にあっては、図２に示す状態よりも更に早く揮散効果を発揮させることも可能である。この場合は、図４に示すように蓋体６を開いた状態で胴部１ｂをスクイズする。すなわち、蓋体６とともに揮散部材５も移動するため、上部開口４ａから内容物を空気中に直接噴出させることができ、これによって高い揮散効果を更に早く発揮することができる。また、指掛け部６ｅに指をかけて蓋体６を引き上げるだけで、上部開口４ａからの内容物の噴出先を揮散部材５から空気中へと切り替えることができるので、使い勝手に優れている。
【００３１】
本発明の揮散剤容器は、これまでに述べた実施形態に限定されるものではなく、特許請求の範囲に従う範囲で種々の変更を加えたものも含むものである。例えば、図４に示すような内容物を空気中に直接噴出させることが必要でなければ、揮散部材を容器本体やカバーで保持するようにしてもよい。また、パイプからの内容物を空気中に直接噴出させるにあたっては、蓋体を揺動させずに容器本体から完全に取り外してしまうように構成してもよい。また揮散剤容器の形態によっては、揮散部材の側面に向けてパイプを指向させてもよい。更に本実施形態の容器本体とカバーは別部材として構成されているが、全体で一つの部材になるようにしてもよい。
【符号の説明】
【００３２】
１：容器本体
１ａ：底部
１ｂ：胴部
１ｃ：肩部
１ｄ：口部
１ｅ：ネックリング
１ｆ：雄ねじ部
２：ホルダー
２ａ：周壁
２ｂ：フランジ
２ｃ：隔壁
２ｄ：補強壁
２ｅ：大筒状壁
２ｆ：小筒状壁
３：吸い上げ芯
４：パイプ
４ａ：上部開口
５：揮散部材
６：蓋体
６ａ：本体部
６ｂ：開口
６ｃ：爪部
６ｄ：軸部
６ｅ：指掛け部
７：カバー
７ａ：環状壁
７ｂ：天壁
７ｃ：外周壁
７ｄ：軸穴
Ａ：容器体
Ｏ：口部の中心軸線
【図１】
0006634268.tif 000002
【図２】
0006634268.tif 000003
【図３】
0006634268.tif 000004
【図４】
0006634268.tif 000005